(57)【要約】【課題】ＲＣ構造を主とするコンクリート壁面に内装材及び建具などの建材を設置する際において、コンクリート型枠脱型後にアンカーボルト等の埋込加工を必要とせず、ビスや釘で安易かつ強固に建材を固定でき、それらの打ち込み位置にもあるていどの自由度をもつ建材取付装置を本考案の目的とする。【解決手段】コンクリート型枠脱型後のＲＣ構造を主とするコンクリート壁面に現れる装置表面よりコンクリートに埋没した装置裏面の方が面積が大きい立体構造のプラスチック製、樹脂製又はアルミ製などの建材取付装置露出面をあらかじめコンクリート打設前の型枠内面に両面テープ等で固定しておくことにより、コンクリート型枠脱型後はそのコンクリート壁面に回転したり抜けることの無い建材取付装置表面が露出する。この建材取付装置露出部に向けて直接ビスや釘を打ち込んで内装材及び建具などの建材を固定する方法をとった。尚、ビスや釘の打ち込み位置は装置露出面内で自由度をもつ。【選択図】図１
2006063778.tif 000002
【特許請求の範囲】
【請求項１】
ＲＣ構造を主とするコンクリート壁面に内装材及び建具などの建材を設置する際において、アンカーボルト等の埋込加工を必要とせず、コンクリート型枠脱型後のコンクリート壁面に現れる装置表面よりコンクリートに埋没した装置裏面の方が面積が大きい立体構造、又はコンクリートに埋没する装置裏面側に突起やツバをもつ立体構造によって、装置露出面をあらかじめコンクリート打設前の型枠内面に両面テープ等で固定しておくことにより型枠脱型後は装置自体がそのコンクリート壁面に回転したり抜けることの無く埋込まれ、この装置露出部に向けて直接ビスや釘を打ち込むことによって内装材及び建具などの建材を安易に固定することを可能にするプラスチック製、樹脂製又はアルミ製などの建材取付装置。
【発明の詳細な説明】
【考案の詳細な説明】
【技術分野】
【０００１】本考案は、ＲＣ構造を主とするコンクリート壁面に内装材及び建具などの建材を設置する際に、アンカーボルト等の埋込加工を必要とせずに、ビスや釘で安易に建材を固定できる取付装置に関する。
【背景技術】
【０００２】従来から、ＲＣ構造を主とするコンクリート壁面に内装材及び建具などの建材を設置する埋込式建材取付装置は種々開発されてきたが、コンクリート型枠脱型後に埋込加工などを必要としない装置はほとんど存在せず、又、その多くは固定ボルトによって内装材及び建具などの建材を固定する装置であったため固定ボルトの設置位置を埋込式建材取付装置のネジ穴に完全に合致させる必要があり、建材取付装置、固定ボルト共に施工には熟練の技術を要するものばかりで、ビスや釘で安易に固定でき、固定位置にもあるていどの自由度をもつ建材取付装置はほとんど存在していなかった。
【発明の開示】
【発明が解決しようとする課題】
【０００３】ＲＣ構造を主とするコンクリート壁面に内装材及び建具などの建材を設置する際において、コンクリート型枠脱型後にアンカーボルト等の埋込加工を必要とせず、ビスや釘で安易かつ強固に建材を固定でき、それらの打ち込み位置にもあるていどの自由度をもつ建材取付装置を本考案の目的とする。
【課題を解決するための手段】
【０００４】コンクリート型枠脱型後のＲＣ構造を主とするコンクリート壁面に現れる装置表面よりコンクリートに埋没した装置裏面の方が面積が大きい立体構造のプラスチック製、樹脂製又はアルミ製などの建材取付装置露出面をあらかじめコンクリート打設前の型枠内面に両面テープ等で固定しておくことにより、コンクリート型枠脱型後はそのコンクリート壁面に回転したり抜けることの無い建材取付装置表面が露出する。この建材取付装置露出部に向けて直接ビスや釘を打ち込んで内装材及び建具などの建材を固定する方法をとった。尚、ビスや釘の打ち込み位置は装置露出部内で自由度をもつ。
【発明の効果】
【０００５】本考案は、コンクリート型枠脱型後のコンクリート壁面に現れる建材取付装置表面よりコンクリートに埋没した装置裏面の方が面積が大きい立体構造のために建材取付装置はコンクリート自体によって強固に固定され、建材取付装置露出面をあらかじめコンクリート打設前の型枠内面に両面テープ等で固定しておくことによって型枠脱型後のコンクリート壁面に装置表面が露出するため、型枠脱型後は無加工でコンクリート壁面を傷めることなく内装材及び建具などの建材を設置できる。さらに建材取付装置をあらかじめ型枠内面に固定する方法により装置の取付位置の精度も熟練技術を必要とせずに向上する。又、建材取付装置の材質がプラスチック製、樹脂製又はアルミ製などであるため、耐久性に富み、装置露出部に向けてビスや釘で安易に建材を強固に固定でき、それらの打ち込み位置は装置幅内で自由度をもつため、従来のようなアンカー穴と固定ボルトを合致させる熟練技術を必要とせず、従来の脱型後の壁面へ埋込加工を必要とする建材取付装置では難しかった至近の並列設置なども可能となった。尚、内装材及び建具などの建材解体時の手間はビスや釘を使用しているため従来の木製壁面からの解体同様に安易に行える。
【発明を実施するための最良の形態】
【０００６】ＲＣ構造を主とするコンクリート壁面に内装材及び建具を設置する際において、コンクリート型枠脱型後のコンクリート壁面に現れる装置表面よりコンクリートに埋没した装置裏面の方が面積が大きい立体構造のプラスチック製、樹脂製又はアルミ製などの建材取付装置露出面をあらかじめコンクリート打設前の型枠内面に両面テープ等で固定しておくことにより、コンクリート型枠脱型後はそのコンクリート壁面に強固に固定された建材取付装置表面が露出する。尚、建材取付装置の壁面に現れる表面形状は用途に応じて正方形、長方形、円形など自由に選択する。この建材取付装置露出部に向けて直接ビスや釘を打ち込んで特に熟練技術を必要とせずに内装材及び建具などの建材を固定する。重量物の設置には棒状のアルミ製装置を使用して同一線上に連続してタッピングビスで固定し、軽量物の設置には必要最小限の箇所に小型の樹脂製装置を使用して釘で固定するなど、用途に応じて建材取付装置の形状や材質を選択できる。
【実施例１】
【０００７】住宅等のＲＣ構造を主とするコンクリート壁面に内装材及び建具を設置する際において特に熟練技術を必要とせずビスや釘で安易かつ強固に建材を固定する。
【実施例２】
【０００８】コンクリート型枠に木製型枠を使用する場合は、建材取付装置を型枠に取付る際に小型のビスや釘で固定することも出来る。この場合は型枠脱型時にあらかじめそれらのビスや釘を除去しておく。
【実施例３】
【０００９】建材取付装置表面よりコンクリートに埋没する装置裏面の方が面積が単純な投影状に大きい立体構造の装置が使用できない箇所においては、装置裏面側の必要箇所に突起やツバをもうけた形状の建材取付装置を使用することで、同様に養生後のコンクリート自体によって装置が回転したり抜けることなく強固に固定される。
【産業上の利用可能性】
【００１０】
【図面の簡単な説明】
【００１１】
【図１】      本発明の建材取付装置の標準型全体を示した図である。
【図２】      本考案の建材取付装置のツバ付型全体を示した図である。
【図３】      本考案の鋼製型枠使用のコンクリート打設時を示した断面図である。
【図４】      本考案の木製型枠使用のコンクリート打設時を示した断面図である。
【図５】      本考案の鋼製型枠脱型後の建材取付時を示した断面図である。
【図６】      本考案の木製型枠脱型後の建材取付時を示した断面図である。
【符号の説明】
【００１２】  １  建材取付装置
２  コンクリート壁体
３  鋼製型枠
４  両面テープ
５  木製型枠
６  固定ビス、固定釘
７  取付対象建材
８  断熱材等
【図１】
2006063778.tif 000003
【図２】
2006063778.tif 000004
【図３】
2006063778.tif 000005
【図４】
2006063778.tif 000006
【図５】
2006063778.tif 000007
【図６】
2006063778.tif 000008